(57)【要約】      （修正有）【課題】携帯電話を持って外出している時、街中の騒音などで呼び出し音が聞こえなかったり、何らかの要因で着信時の振動を感知できなかったりして、着信に気付かないことがよくある。当発明は共鳴板等の無い簡単な構造で、かつ確実に着信時の振動をキャッチできる腰のベルトに付ける携帯電話ケースである。【解決手段】一般的な携帯電話が丁度入る程度の大きさの前後に薄いケースで、ケース本体の前面にベルトを通すベルトループを設け、さらにケース本体の背面の上部を長くし、これを携帯電話出し入れ口の上で、前面方向に逆Ｕ字状に折りたたむケースカバーの付いた携帯電話ケースと、一般的な携帯電話が丁度入る程度の大きさの前後に薄いケースで、ケース本体の側面の両側にベルトを通すスリットを設けた携帯電話ケース。【選択図】図１
2012030025.tif 000002
【特許請求の範囲】
【請求項１】
一般的な携帯電話が丁度入る程度の大きさの前後に薄いケースで、ケース本体の前面にベルトを通すベルトループを設け、さらにケース本体の背面の上部を長くし、これを携帯電話出し入れ口の上で、前面方向に逆Ｕ字状に折りたたむケースカバーの付いた携帯電話ケース。
【請求項２】
一般的な携帯電話が丁度入る程度の大きさの前後に薄いケースで、ケース本体の側面の両側にベルトを通すためのスリットを設けた請求項１記載の携帯電話ケース。
【発明の詳細な説明】
【技術分野】
【０００１】  携帯電話の着信時の振動を確実にキャッチし、着信を逃すことが無いように工夫した携帯電話のケースに関するものである。
【背景技術】
【０００２】  本発明と同じ目的で、振動板を備えた携帯電話のケースがあった。
【先行技術文献】
【０００３】
【特許文献１】  特許公開２００７−３７０７４
【発明の概要】
【発明が解決しようとする課題】
【０００４】  携帯電話を持って外出している時、街中の騒音などで呼び出し音が聞こえなかったり、何らかの要因で着信時の振動を感知できなかったりして、着信に気付かないことがよくある。
このため上記文献のような、着信時の振動を感知しやすい共鳴板等を備えた携帯電話ケースが知られていますが、当発明は共鳴板等の無いより簡単な構造で、かつ確実に着信時の振動をキャッチすることができる腰のベルトに付ける携帯電話ケースを提供するものである。
【課題を解決するための手段】
【０００５】  上記課題を解決するため本発明は、一般的な携帯電話が丁度入る程度の大きさの前後に薄いケースで、ケース本体の前面にベルトを通すベルトループを設け、さらにケース本体の背面の上部を長くし、これを携帯電話出し入れ口の上で、前面方向に逆Ｕ字状に折りたたむケースカバーの付いた携帯電話ケースと、一般的な携帯電話が丁度入る程度の大きさの前後に薄いケースで、ケース本体の側面の両側にベルトを通すスリットを設けたものである。
【発明の効果】
【０００６】  以下のような効果が期待される。
（イ）ケースに携帯電話を入れ、ケース本体の前面に付けられたベルトループ、または両      側面に設けられたスリットにベルトを通してベルトを締め、ケースに入れた携帯電      話をベルトと腰部とで挟み込むことで、携帯電話と腰部の密着度が大きくなり、着      信時の電話の振動が確実に感知できる。
（ロ）振動をチャッチするので、マナーモード設定時の着信も確実に感知できる。
（ハ）構造が簡単なため、従来の携帯電話ケースと製造コストが殆ど変わらない。
（ニ）前面にベルトループを付けたもの（以下、タイプ−１）では、ケースカバーを長く      すればこれを閉じることにより、ケース部前面にあるベルト及びベルトループ部が      隠れ、また側面にスリットが付いたもの（以下、タイプ−２）では、ケースの前面      にはベルトが見えないため、両方とも装着時の外見上の違和感がない。
【図面の簡単な説明】
【０００７】
【図１】タイプ−１の斜視図
【図２】タイプ−１の正面図
【図３】タイプ−１の上面図
【図４】タイプ−１の側面図
【図５】タイプ−１の装着時における図２のＡ−Ａ’の拡大断面図
【図６】タイプ−２の斜視図
【図７】タイプ−２の装着時における拡大断面図
【発明を実施するための形態】
【０００８】  以下、本発明の実施の形態について説明する。
先ず、タイプ−１は、
（イ）ケース本体（１）は柔軟な素材で作られ、一般的な携帯電話が収納できる程度の大      きさで、前後に薄い袋状とする。
（ロ）ケース本体（１）の前面の上部中央に、ベルト（８）を通すためのベルトループ（      ３）を設ける。
（ハ）ケース本体（１）の背面は横幅をそのままで上部に長くし、これをケースカバー（      ２）とする。
（ニ）ケースカバー（２）の長さは、電話出し入れ口（６）の上で、ケースの前面側に折      りたたんだ時、ベルトループ（３）全体が隠れる長さ以上とする。
（ホ）ケース本体（１）のベルトループ（３）の下部には、面ファスナーケース側（５）      を設ける。
（ヘ）ケースカバー（２）の先端内側には、面ファスナーカバー側（４）を設け、ケース      カバー（２）を携帯電話出し入れ口（６）の上で前方に折りたたみ、面ファスナー      ケース側（５）と接合される。
以上がタイプ−１の構造であるが、これを使用する際には、
（イ）ケースカバー（２）を開け、ケース本体（１）に携帯電話（７）を収納する。
（ロ）ケースカバー（２）を開けた状態で、ベルトループ（３）の付いている側を外側に      して、ベルトループ（３）に腰のベルト（８）を通しケースカバー（２）を閉じる      。
（ハ）腰のベルト（８）を締めれば装着完了。
（ニ）着信振動を感じたらケース本体（１）より携帯電話（７）を取り出し通話する。
次に、タイプ−２は、
（イ）ケース本体（１）は柔軟な素材で作られ、一般的な携帯電話が収納できる程度の大      きさで、前後に薄い袋状とする。
（ロ）ケース本体（１）の背面の上部を長くし、これをケースカバー（２）とする。
（ハ）ケースカバー（２）の長さは、電話出し入れ口（６）の上で、ケース本体（１）の      前面側に折りたたんだ時、ケース本体（１）の前面の一部が隠れる程度とする。
（ニ）ケース本体（１）の両側面上部付近に、腰のベルト（８）を通すためのスリット（      １０）を設ける。
（ホ）ケース本体（１）の、前面には面ファスナーケース側（５）を設ける。
（ヘ）ケースカバー（４）の先端内側には、面ファスナーカバー側（４）を設け、ケース      カバー（４）を携帯電話出し入れ口（６）の上で前方に折りたたんで、面ファスナ      ーケース側（５）と接合される。
（ト）また、ケース本体（１）の内部に仕切布（１１）を設けるが、ケース本体（１）の      前面内側に仕切布（１１）の上下を、ケース本体（１）の側面内側のスリット（１      ０）より手前に仕切布（１１）の左右をそれぞれ縫合し、携帯電話出し入れ口（６      ）から入れられた携帯電話（７）は、仕切布（１１）の手前に、両側面に設けられ      たスリット（１０）に通したベルト（８）は仕切布（１１）の外側を通るようにす      る。
以上がタイプ−２の構造であるが、これを使用する際には、
（イ）ケースカバー（２）を開け、ケース本体（１）に携帯電話を収納しケースカバー（      ２）を閉じる。
（ロ）ケースカバー（２）の先端が外側になるようにして、両側にあるスリット（１０）      に腰のベルト（８）を通す。
（ハ）腰のベルト（８）を締めれば装着完了。
（ニ）着信振動を感じたらケース本体（１）より携帯電話（７）を取り出し通話する。
尚、仕切布（１１）は携帯電話（７）が直接ベルト（８）に触れて傷が付くのを防止すると共に、携帯電話（７）の出し入れをスムーズにするため設けられている。
また、両タイプとも携帯電話（７）がベルト（８）で締められていて出し入れがしにくい時は、腹部を少し縮めることで締め付けが弱まり、スムーズに取り出すことができる。
さらに、タイプ−１の場合は、ケース本体（１）の背面にもベルトループをつけておけば、従来からある一般的な携帯電話ケースと同じ装着も可能となる。
【符号の説明】
【０００９】１    ケース本体
２    ケースカバー
３    ベルトループ
４    面ファスナーカバー側
５    面ファスナーケース側
６    携帯電話出し入れ口
７    携帯電話
８    ベルト
９    ボディーライン
１０  スリット
１１  仕切布
【図１】
2012030025.tif 000003
【図２】
2012030025.tif 000004
【図３】
2012030025.tif 000005
【図４】
2012030025.tif 000006
【図５】
2012030025.tif 000007
【図６】
2012030025.tif 000008
【図７】
2012030025.tif 000009